(57)【特許請求の範囲】
【請求項１】
下記の要件を備えたことを特徴とする変形ロボット玩具
（イ）ロボットの形態から筆記具の形態に可逆的に変化可能なロボット玩具であること。
（ロ）前記ロボット玩具は、胴体部と、開脚可能な一対の脚部と、開脚した当該脚部を固定するために各脚部の間に装着可能となっている固定部材と、取り外し可能に固定された筆記部材とから構成されていること。
（ハ）前記脚部は、前記胴体部内を摺動可能な摺動部材に連結部材を介して、前記脚部を平行に保ったまま開脚あるいは互いに接合させる方向に回動可能に取り付けられていること。
（ニ）前記ロボット玩具から取り外された前記筆記部材は、前記各脚部の間に装着された前記固定部材が取り外され前記脚部が互いに接合された状態において、前記脚部の下端部に結合可能となっていること。
【発明の詳細な説明】
【０００１】
【発明の属する技術分野】
本発明は、ロボットの形態から文具の形態に可逆的に変化可能なロボット玩具の構造に関するものである。
【０００２】
【従来の技術】
従来、形態が変化する種々のロボット玩具が知られているが、これらのロボット玩具に用いられている脚部等の間接部は、変形した形態を保持するために間接部となる軸部にをしぶみを持たせたり、複雑な変形機構等によってその形態を保持することが行われていた。
【０００３】
【発明が解決しようとする課題】
上記従来の部材間のしぶみによって形態を保持する方法では、長時間の使用によってしぶみが緩くなり、形態が保持できなくなるという場合があった。また、複雑な構造や機構によって形態を保持する方法は、長時間の使用によって形態が保持できなくなるということは無いが、多くの部品等を必要とするので、コスト高となる傾向があった。
【０００４】
本発明は上記の点に鑑み発明されたものであって、簡単な構成によって、可逆的に変化する脚部等の形態を保持可能であり、部品点数が少なくかつコスト高とならないロボット玩具の構造を提供することをその目的とするものである。
【０００５】
【課題を解決するための手段】
上記課題を解決するために、本発明の変形ロボット玩具は以下に示す構成を備えていることを特徴とする。すなわち、
（イ）ロボットの形態から筆記具の形態に可逆的に変化可能なロボット玩具であること。
（ロ）前記ロボット玩具は、胴体部と、開脚可能な一対の脚部と、開脚した当該脚部を固定するために各脚部の間に装着可能となっている固定部材と、取り外し可能に固定された筆記部材とから構成されていること。
（ハ）前記脚部は、前記胴体部内を摺動可能な摺動部材に連結部材を介して、前記脚部を平行に保ったまま開脚あるいは互いに接合させる方向に回動可能に取り付けられていること。
（ニ）前記ロボット玩具から取り外された前記筆記部材は、前記各脚部の間に装着された前記固定部材が取り外され前記脚部が互いに接合された状態において、前記脚部の下端部に結合可能となっていること。
【０００６】
【発明の実施の形態】
まず、簡単に図面について説明する。図１は本発明のロボット玩具を表す斜視図であり、ロボットの状態を表したものである。図２は図１は本発明のロボット玩具が筆記具に変化した状態を表したものである。図３および図４はロボットの状態から筆記具の形態に変化する過程を表した斜視図であり、図５はロボット玩具の脚部の構造を説明するための部分断面図である。
【０００７】
以下本発明の一実施の形態を図を用いて説明する。
図１において、１は本願発明のロボット玩具を示しており、ロボット玩具１はロボット玩具本体３を有しており、ロボット玩具本体３には筆記部材５が装着されている。
ロボット玩具本体３について説明する。ロボット玩具本体３の上部にはロボットの頭部７が設けられている。頭部７は胴部９を構成する筒状の基部１１の上端部に設けられており、同基部１１には胸部材１３（１３ａ，１３ｂ）が基部１１の外周に対してそれぞれ回動可能に取り付けられている。また、胸部材１３にはそれぞれ腕部材１５（１５ａ，１５ｂ）が設けられている。
【０００８】
基部１１は下端に開口を有した中空状になっており、この基部１１の内部には基部１１内を摺動可能に移動する摺動部材１７が設けられている。摺動部材１７は、基部１１に対して収容された状態と基部１１から突出した状態の２つの位置で位置決めされるようなっている。また、摺動部材１７の下端部付近には脚部１９（１９ａ，１９ｂ）が回動可能に取り付けられている。さらに、図１のロボットの形態においては、開脚した脚部１９ａ，１９ｂの間に固定部材２１が取り付けられている。
【０００９】
図２を用いて、文具である筆記具の形態となった状態について説明する。図２において５は前述のとおり筆記部材であり筆記部材５の先端にはボールペン等のペン先２３が取り付けられている。当該ペン先２３は筆記具として未使用持にはキャップ２５が装着されることで保護されている。尚、図２の筆記具の形態の時には、キャップ２５は頭部７に装着されるようになっている。
また、筆記部材５の他端には円形の開口を有した凹部（図示せず）が形成されており、当該凹部に対して閉じた状態の脚部１９の端部が嵌入されることにより、筆記部材５と脚部１９が同軸状に連結され、筆記具としての軸部が形成されるようになっている。
また、詳細は後述するが、各脚部１９ａ，１９ｂは固定部材２１を取り外すことによって開脚状態から閉じて一本の棒状となるように形成されており、この棒状の状態で摺動部材１７の摺動にともなって各脚部１９ａ，１９ｂの上端部分が基部１１内に収容されるようになっている。
また、胸部材１３（１３ａ、１３ｂ）は基部１１に対して部材間の適度なしぶみをもった状態で遊嵌されており、基部１１の外周に沿って回動可能になっている。この構造によって、図２の状態では腕部材１５ａ、１５ｂを互いに接合させることができ、ロボット玩具１が筆記具の形態の時には、腕部材１５は衣服などに取り付けるときに使用するクリップとして作用することが可能となっている。なお、２７は胸部材１３の外周に突出した円柱状の突起であり、図示していないが、ロボット玩具の形態のときに筆記部材５の側面に形成してある孔と嵌合して、筆記部材５を保持するために使用するものである。
【００１０】
次に、ロボット玩具の形態から筆記具の形態に変化する過程を説明する。
まず、図１の状態から各脚部１９ａ、１９ｂの間に装着されている固定部材２１を取り外すと、開脚状態であった脚部１９が自由に回動可能となり図３に示すように各脚部１９ａ、１９ｂを互いに合わせ一本の丸い棒状体とすることができる。つまり、各脚部１９ａ、１９ｂの断面形状は半円形を成しているので、これらを合わせると断面の丸い棒状を形成することができるのである。
脚部の回動部分の構造について詳しく説明すると、図３、図５に示すように、各脚部１９ａ、１９ｂは摺動部材１７の下端部において連結部材２９（２９ａ、２９ｂ）を介して接続されている。この連結部材２９は両端にＣ字状の受け部を有しており、当該受け部が摺動部材１７の下端部に設けられた軸３１（３１ａ、３１ｂ）および脚部１９の上端部に設けられた軸３３（３３ａ、３３ｂ）と係合するようになっている。この構造により、脚部１９が脚部を平行に保ったまま開脚あるいは互いに接合させることが可能となっている。
また、各脚部１９ａ、１９ｂの下端部にはロボット玩具１の足先部分となる足先部材３５（３５ａ、３５ｂ）が回動可能に取り付けられており、ロボット玩具の形態の時には図３のように足先３５を出した状態とし、筆記具の形態の時には図４のように収納することが可能となっている。
【００１１】
図４は、接合させた脚部１９の上部（細径部３７）を基部１１内に収容した状態を示している。このように、軸３３の下部である細径部３７を基部１１によって固定することで、開脚することなく脚部１９を保持することが可能となっている。
次に、図４の状態からさらに図２に示すような筆記具の形態へ変化する場合について説明する。図４の状態では、筆記部材５はロボット玩具１の背中に相当する部分に前述した構造によって固定された状態となっているが、当該筆記部材５を取り外し、筆記部材５の大径部３９の端部に形成した凹部（図示せず）に脚部１９の下端部を嵌合させることで、脚部材１９と筆記部材５を同軸上で着脱自在に結合させることが可能となっている。
筆記部材５の先端であるペン先２３はキャップ２５の取付によって保護されているが、筆記具としての使用時にはキャップ２５は、ロボット玩具１の頭部７に対しても取付可能となっているので頭部７に取り付けておくことができる。
【００１２】
脚部１９の開脚構造についてもう少し詳しく説明する。図５に脚部１９の取付部分を中心とした断面図を示す。
前述のように脚部１９は、基部１１内で摺動可能な摺動部材１７の下端部に連結部材２９を介して取り付けられている。
この連結部材２９を介すことによって、脚部１９は単に開くのではなく、脚部１９を長手方向に対して平行に保ったまま開脚することが可能となっている。この開脚の際、開脚した各脚部１９ａ、１９ｂの間には固定部材２１を装着するようになっている。固定部材２１は、有底筒状の部材であり、筒状部分が前記摺動部材１７の下端部に嵌合するようになっている。さらに、当該筒状部分には２つの切欠４１、４１が直径方向に対して対向する位置に形成されており、この切欠４１によって摺動部材１７への取付の際に、摺動部材１７に取り付けられている連結部材２９を避けて取り付けることが可能となっている。
この固定部材２１が無い場合には、脚部１９は連結部材２９の軸３３に対して自由に回動することになり、ロボット玩具としての形態が安定せず自立することができない。しかし、固定部材２１を取り付けることによって、固定部材２１が脚部１９が開こうとする方向および閉じようとする方向の両方向を規制することとなり、脚部１９の開脚状態を保持することが可能となっている。
【００１３】
【発明の効果】
以上説明したロボット玩具は、低価格の商品として販売することを目的としたものであるので、コスト高となるような複雑な機構や多数の部品を使用することができない。しかし、上記の構造を備えることで、簡単な機構によってロボット玩具から筆記具への形態の変化が可能であり、玩具あるいは筆記具として使えるものでありながら安価に提供することが可能となっているものである。
また、本発明のロボット玩具は、上記効果に加えて、簡単な構成によって可逆的に変化する脚部等の形態を保持することが可能であるという効果をも有している。
【図面の簡単な説明】
【図１】本発明の一実施の形態であるロボット玩具の、ロボットの状態を示す斜視図である。
【図２】本発明の一実施の形態であるロボット玩具の、筆記具の状態を示す斜視図である。
【図３】本発明の一実施の形態であるロボット玩具の、ロボットから筆記具への変化の課程を説明するための説明図である。
【図４】本発明の一実施の形態であるロボット玩具の、ロボットから筆記具への変化の課程を説明するための説明図である。
【図５】本発明の一実施の形態であるロボット玩具の、要部を説明するための説明図である。
【符号の説明】
１  ロボット玩具
３  ロボット玩具本体
５  筆記部材
７  頭部
９  胴部
１１  基部
１３  胸部材
１５  腕部材
１７  摺動部材
１９  脚部
２１  固定部材
２３  ペン先
２５  キャップ
２７  突起
２９  連結部材
３１  軸
３３  軸
３５  足先部材
３７  細径部
３９  大径部
４１  切欠
【図１】
0004242017.tif 000002
【図２】
0004242017.tif 000003
【図３】
0004242017.tif 000004
【図４】
0004242017.tif 000005
【図５】
0004242017.tif 000006